(57)【要約】【課題】プロテクタの大型化を抑制し、電線の配索経路からの影響を抑制することができる電線配索構造を提供する。【解決手段】外径が異なる複数の電線３，５と、この複数の電線３，５が屈曲された屈曲部７に配置されるプロテクタ９とを備えた電線配索構造１において、複数の電線３，５を、プロテクタ９内に並列に配置し、屈曲部７を、プロテクタ９内における複数の電線３，５の配置方向と直交する方向に向けて屈曲し、プロテクタ９に、複数の電線３，５の屈曲部７が配置される折返し部１１を設け、折返し部１１に、内周側に複数の電線３，５のうち外径が最も小さい電線３を配置し、外周側に複数の電線３，５のうち外径が最も大きい電線５を折返し部１１の外形形状に沿って配置した。【選択図】図２
2016086498.tif 000002
【特許請求の範囲】
【請求項１】
外径が異なる複数の電線と、この複数の電線が屈曲された屈曲部に配置されるプロテクタとを備えた電線配索構造であって、
前記複数の電線は、前記プロテクタ内に並列に配置され、
前記屈曲部は、前記プロテクタ内における前記複数の電線の配置方向と直交する方向に向けて屈曲され、
前記プロテクタには、前記複数の電線の屈曲部が配置される折返し部が設けられ、
前記折返し部には、内周側に前記複数の電線のうち外径が最も小さい電線が配置され、外周側に前記複数の電線のうち外径が最も大きい電線が前記折返し部の外形形状に沿って配置されていることを特徴とする電線配索構造。
【請求項２】
請求項１記載の電線配索構造であって、
前記折返し部は、前記複数の電線のうち最も大きい外径を有する電線が最小屈曲半径より小さく屈曲された状態で配置されることを特徴とする電線配索構造。
【発明の詳細な説明】
【技術分野】
【０００１】
本発明は、車両に適用される電線配索構造に関する。詳細には、外径が異なる複数の電線の屈曲部にプロテクタが配置される電線配索構造に関する。
【背景技術】
【０００２】
従来、電線配索構造としては、外径が異なる複数の電線と、この複数の電線が屈曲された屈曲部に配置されるプロテクタとを備えたものが知られている（例えば、特許文献１参照）。
【０００３】
このような電線配索構造では、車両に搭載された機器などに接続されたワイヤーハーネスなどの電線と周辺部材との干渉を避けるために、電線を屈曲して配索させることができるように、電線の屈曲部をプロテクタによって保持し、このプロテクタを車体などに固定させている。
【先行技術文献】
【特許文献】
【０００４】
【特許文献１】特開２００２−１０４３９号公報
【発明の概要】
【発明が解決しようとする課題】
【０００５】
ところで、上記特許文献１のような電線配索構造では、プロテクタ内において、外径が異なる複数の電線が互いに交差しないように並列に配置され、この並列に配置された方向に沿って複数の電線が屈曲されている。
【０００６】
しかしながら、このような電線配索構造では、プロテクタ内において、電線の配置方向と屈曲部の屈曲方向と同じ方向であるので、プロテクタが電線の配置方向や屈曲部の屈曲方向に大型化してしまい、電線の配索経路に制限がある場合、プロテクタを配置することができない恐れがあった。
【０００７】
特に、電線の屈曲部が最小屈曲半径より小さく屈曲されて配索されるような急曲げの配索経路では、プロテクタが電線の配置方向と屈曲部の屈曲方向とを合わせた分だけ大型化するので、非常に電線の配索経路の制限を受けやすくなっていた。
【０００８】
そこで、この発明は、プロテクタの大型化を抑制し、電線の配索経路からの影響を抑制することができる電線配索構造の提供を目的としている。
【課題を解決するための手段】
【０００９】
請求項１記載の発明は、外径が異なる複数の電線と、この複数の電線が屈曲された屈曲部に配置されるプロテクタとを備えた電線配索構造であって、前記複数の電線は、前記プロテクタ内に並列に配置され、前記屈曲部は、前記プロテクタ内における前記複数の電線の配置方向と直交する方向に向けて屈曲され、前記プロテクタには、前記複数の電線の屈曲部が配置される折返し部が設けられ、前記折返し部には、内周側に前記複数の電線のうち外径が最も小さい電線が配置され、外周側に前記複数の電線のうち外径が最も大きい電線が前記折返し部の外形形状に沿って配置されていることを特徴とする。
【００１０】
この電線配索構造では、複数の電線がプロテクタ内に並列に配置され、屈曲部がプロテクタ内における複数の電線の配置方向と直交する方向に向けて屈曲されているので、プロテクタが電線の配置方向や屈曲部の屈曲方向に向けて電線の配置方向と屈曲部の屈曲方向とを合わせた大きさに大型化することがなく、電線の配索経路からの影響を抑制することができる。
【００１１】
また、プロテクタの折返し部には、内周側に複数の電線のうち外径が最も小さい電線が配置され、外周側に複数の電線のうち外径が最も大きい電線が折返し部の外形形状に沿って配置されているので、プロテクタの屈曲方向の外形を外径が最も大きい電線の屈曲部に合わせればよく、急曲げの配索経路であってもプロテクタの大型化を抑制することができる。
【００１２】
従って、このような電線配索構造では、プロテクタの大型化を抑制し、電線の配索経路からの影響を抑制することができる。
【００１３】
請求項２記載の発明は、請求項１記載の電線配索構造であって、前記折返し部は、前記複数の電線のうち最も大きい外径を有する電線が最小屈曲半径より小さく屈曲された状態で配置されることを特徴とする。
【００１４】
この電線配索構造では、折返し部が、複数の電線のうち最も大きい外径を有する電線が最小屈曲半径より小さく屈曲された状態で配置されるので、急曲げの配索経路に対してプロテクタの大型化を抑制しつつ、複数の電線を配索することができる。
【発明の効果】
【００１５】
本発明によれば、プロテクタの大型化を抑制し、電線の配索経路からの影響を抑制することができる電線配索構造を提供することができるという効果を奏する。
【図面の簡単な説明】
【００１６】
【図１】本発明の実施の形態に係る電線配索構造のプロテクタのカバー部を組付けたときの上面図である。
【図２】本発明の実施の形態に係る電線配索構造のプロテクタのカバー部を外したときの斜視図である。
【図３】本発明の実施の形態に係る電線配索構造のプロテクタのカバー部を外したときの上面図である。
【図４】本発明の実施の形態に係る電線配索構造のプロテクタのカバー部を外したときの上面図である。
【発明を実施するための形態】
【００１７】
図１〜図４を用いて本発明の実施の形態に係る電線配索構造について説明する。
【００１８】
本実施の形態に係る電線配索構造１は、外径が異なる複数の電線３，５と、この複数の電線３，５が屈曲された屈曲部７に配置されるプロテクタ９とを備えている。
【００１９】
また、複数の電線３，５は、プロテクタ９内に並列に配置され、屈曲部７は、プロテクタ９内における複数の電線３，５の配置方向と直交する方向に向けて屈曲され、プロテクタ９には、複数の電線３，５の屈曲部７が配置される折返し部１１が設けられている。
【００２０】
そして、折返し部１１には、内周側に複数の電線３，５のうち外径が最も小さい電線３が配置され、外周側に複数の電線３，５のうち外径が最も大きい電線５が折返し部１１の外形形状に沿って配置されている。
【００２１】
また、折返し部１１は、複数の電線３，５のうち最も大きい外径を有する電線５が最小屈曲半径より小さく屈曲された状態で配置される。
【００２２】
図１〜図４に示すように、複数（ここでは２本）の電線３，５は、それぞれ内部に複数の芯線（不図示）を束ねて構成されている。この複数の電線３，５は、外径が異なるように設定されている。
【００２３】
このような複数の電線３，５は、例えば、電源と機器との間、或いは機器間を電気的に接続し、１組のワイヤハーネスとして車体に配索される。このワイヤハーネスが車体に配索された状態では、複数の電線３，５と車体に搭載された周辺部材との干渉を避けるために、複数の電線３，５に屈曲部７が設けられている。
【００２４】
この複数の電線３，５の屈曲部７には、複数の電線３，５が車体に配索された状態で、その屈曲形状を保持することができないので、プロテクタ９が配置されており、プロテクタ９を固定手段などによって車体に固定することにより、車体に対するワイヤハーネスの配索形状が保持される。
【００２５】
プロテクタ９は、合成樹脂などの絶縁性材料からなり、断面形状が凹状に形成された本体部１３と、この本体部１３の開口側に複数の係止部１５を介して組付けられる平板状に形成されたカバー部１７とを有する。また、プロテクタ９は、本体部１３とカバー部１７とを組付けた状態で、複数の電線３，５の長さ方向の両側が開口されている。
【００２６】
このプロテクタ９には、本体部１３の高さ方向（縦方向）に沿って複数の電線３，５が並列に配置される。この縦方向に並列に配置された複数の電線３，５の屈曲部７は、本体部１３の高さ方向と直交する方向である本体部１３の幅（長さ）方向（横方向）に向けて屈曲されている。
【００２７】
このように複数の電線３，５の配置方向と屈曲部７の屈曲方向とを異ならせてプロテクタ９内に配置させることにより、プロテクタ９が縦方向、或いは横方向に大型化することがなく、プロテクタ９を全体的にコンパクト化することができる。このようなプロテクタ９には、複数の電線３，５の屈曲部７が配置される折返し部１１が設けられている。
【００２８】
折返し部１１は、プロテクタ９の一方側の開口と他方側の開口とが異なる方向に向けて開口するように、その外形形状が湾曲して設けられている。この折返し部１１の外形形状は、複数の電線３，５のうち最も大きい外径を有する電線５が最小屈曲半径（ここでは電線外径の２倍とする）より小さく屈曲された状態、すなわち電線５が急曲げされた状態の形状と同等に設定されている。
【００２９】
このような折返し部１１には、複数の電線３，５の屈曲部７が配置される。詳細には、複数の電線３，５のうち最も小さな外径を有する電線３は、電線３が有する屈曲に対する反発力が小さく、両端側（プロテクタ９の両側の開口側）から屈曲部７までの長さが短くとも容易に屈曲させることができるので、折返し部１１の内周側の形状に沿って屈曲部７が配置される。
【００３０】
一方、複数の電線３，５のうち最も大きな外径を有する電線５は、電線５が有する屈曲に対する反発力が大きいので、両端側（プロテクタ９の両側の開口側）から屈曲部７までの長さが長くなるようにされており、電線５が有する反発力に抗して屈曲し易く設定されている。
【００３１】
このように屈曲された電線５の屈曲部７は、この屈曲され易く設定された屈曲部７と同等の外形形状を有する折返し部１１の外周側の形状に沿って配置される。このため、急曲げされた電線５の屈曲部７が折返し部１１に配置されていても、電線５の反発力による折返し部１１にかかる負担を軽減することができる。
【００３２】
このように外径の異なる複数の電線３，５の屈曲部７を折返し部１１に配置することにより、複数の電線３，５、特に最も大きな外径を有する電線５が急曲げされるような配索経路であっても、プロテクタ９の大型化を抑制しつつ、複数の電線３，５を配索することができる。
【００３３】
なお、急曲げを必要とする配索経路において、最も大きな外径を有する電線５を折返し部１１で屈曲させない場合には、電線５の両端側から屈曲部７までの長さ短くなり、図４の仮想線で示すような屈曲状態となってしまい、プロテクタ９が大型化してしまう恐れがある。
【００３４】
このため、本実施の形態に係る電線配索構造１のように、プロテクタ９に折返し部１１を設け、この折返し部１１に沿って電線５の屈曲部７を配置させることが、急曲げを必要とする配索経路においては非常に有効である。
【００３５】
このような電線配索構造１では、複数の電線３，５がプロテクタ９内に並列に配置され、屈曲部７がプロテクタ９内における複数の電線３，５の配置方向と直交する方向に向けて屈曲されているので、プロテクタ９が電線３，５の配置方向や屈曲部７の屈曲方向に向けて電線３，５の配置方向と屈曲部７の屈曲方向とを合わせた大きさに大型化することがなく、電線３，５の配索経路からの影響を抑制することができる。
【００３６】
また、プロテクタ９の折返し部１１には、内周側に複数の電線３，５のうち外径が最も小さい電線３が配置され、外周側に複数の電線３，５のうち外径が最も大きい電線５が折返し部１１の外形形状に沿って配置されているので、プロテクタ９の屈曲方向の外形を外径が最も大きい電線５の屈曲部７に合わせればよく、急曲げの配索経路であってもプロテクタ９の大型化を抑制することができる。
【００３７】
従って、このような電線配索構造１では、プロテクタ９の大型化を抑制し、電線３，５の配索経路からの影響を抑制することができる。
【００３８】
また、折返し部１１は、複数の電線３，５のうち最も大きい外径を有する電線５が最小屈曲半径より小さく屈曲された状態で配置されるので、急曲げの配索経路に対してプロテクタ９の大型化を抑制しつつ、複数の電線３，５を配索することができる。
【００３９】
なお、本実施の形態に係る電線配索構造では、外径の異なる複数の電線が２本であったが、これに限らず、外径の異なる複数の電線が２本以上であってもよい。
【００４０】
また、電線の配置方向がプロテクタの高さ方向、屈曲部の屈曲方向がプロテクタの幅（長さ）方向となっているが、これに限らず、電線の配置方向と屈曲部の屈曲方向とをプロテクタに対して逆にするなど、電線の配置方向及び屈曲部の屈曲方向やプロテクタの形状は電線の配索経路や周辺部材との干渉などを考慮して設定すればよい。
【符号の説明】
【００４１】
１…電線配索構造
３，５…電線
７…屈曲部
９…プロテクタ
１１…折返し部
【図１】
2016086498.tif 000003
【図２】
2016086498.tif 000004
【図３】
2016086498.tif 000005
【図４】
2016086498.tif 000006